(57)【特許請求の範囲】
【請求項１】
ユーザ端末と、サンドバッグと、前記ユーザ端末とネットワークを介して無線通信接続される管理サーバであって、
ユーザ情報記憶部に記憶されているユーザ情報と、サンドバッグ情報記憶部に記憶されているサンドバッグ情報と、前記ユーザ端末から送信されることによって取得した活動時間と衝撃力とに基づいて計測結果を算出および記憶する計測結果算出部と、
前記サンドバッグ情報と、計測結果記憶部から抽出した前記計測結果とに基づいて計測結果画面を生成する計測結果画面生成部と、
前記ユーザ端末に、生成した前記計測結果画面を提供する計測結果画面提供部と、
前記ユーザ情報記憶部から前記ユーザ情報を抽出し、前記サンドバッグ情報記憶部から前記サンドバッグ情報を抽出し、抽出した前記ユーザ情報に含まれるユーザＩＤに対応した計測結果に含まれている衝撃力を計測結果記憶部から抽出し、前記衝撃力に対応する動画を動画記憶部から抽出することによって動画または広告を生成する動画生成部と、
ゴーグルおよび前記ユーザ端末に、生成した前記動画または前記広告を提供する動画提供部と、を有し、
前記サンドバッグは、前記ユーザ端末と無線通信接続によりリンク接続されるサンドバッグであって、衝撃を吸収する衝撃吸収部と、前記衝撃吸収部の内側に空洞部と、前記ユーザ端末とリンク接続を行う通信部と、前記衝撃によって発生する計測値および開始時刻または経過時刻を取得するセンサとを有し、前記ユーザ端末とリンク接続されている状態で前記衝撃を検知し、前記衝撃の一つ前の衝撃検知から所定時間が経過している場合には、取得した前記開始時刻および前記計測値を前記ユーザ端末に送信し、前記ユーザ端末とリンク接続されている状態で前記衝撃を検知し、前記衝撃の一つ前の衝撃検知から所定時間が経過していない場合には、取得した前記経過時刻および前記計測値を前記ユーザ端末に送信し、
前記動画生成部は、前記ユーザ情報に含まれる広告用データから、ユーザの興味や関心の高い商品カテゴリを選定し、前記サンドバッグ情報に含まれる計測結果のうちの活動ポイントから、ユーザの保有するポイントに応じた商品カテゴリまたは価格帯を選定し、前記サンドバッグ情報に含まれる設置データから、ユーザが利用しているサンドバッグの設置されている場所周辺の商品位置情報を選定し、選定された前記商品カテゴリ、前記価格帯、前記商品位置情報のうちの一部または全部を組み合わせ、インターネットまたは前記動画生成部が有する教師データから適性の高い商品を自動抽出することで、前記広告を生成する、
管理サーバ。
【請求項２】
請求項１に記載の管理サーバにおいて、
ユーザ情報記憶部からユーザ情報を抽出し、抽出した前記ユーザ情報に含まれるユーザＩＤに対応した計測結果に含まれている衝撃力を計測結果記憶部から抽出し、前記衝撃力に対応する効果音を効果音記憶部から抽出することによって効果音を生成する効果音生成部と、
イヤホンおよび前記ユーザ端末に、生成した前記効果音を提供する効果音提供部とを有する、
管理サーバ。
【請求項３】
ユーザ端末と、前記ユーザ端末と無線通信接続によりリンク接続されるサンドバッグと、前記ユーザ端末とネットワークを介して無線通信接続される管理サーバとを有する運動量計測方法であって、
前記管理サーバが、前記ユーザ端末からユーザ情報を取得および記憶する工程と、
前記管理サーバが、前記ユーザ端末からサンドバッグ情報を取得および記憶する工程と、
前記管理サーバが、ユーザ情報記憶部に記憶されているユーザ情報と、サンドバッグ情報記憶部に記憶されているサンドバッグ情報と、前記ユーザ端末から送信されることによって取得した活動時間と衝撃力とに基づいて計測結果を算出および記憶する工程と、
前記管理サーバが、前記サンドバッグ情報と、計測結果記憶部から抽出した前記計測結果とに基づいて計測結果画面を生成する工程と、
前記管理サーバが、前記ユーザ端末に、生成した前記計測結果画面を提供する工程と、
前記管理サーバが、前記ユーザ情報記憶部から前記ユーザ情報を抽出し、前記サンドバッグ情報記憶部から前記サンドバッグ情報を抽出し、抽出した前記ユーザ情報に含まれるユーザＩＤに対応した計測結果に含まれている衝撃力を計測結果記憶部から抽出し、前記衝撃力に対応する動画を動画記憶部から抽出することによって動画または広告を生成する工程と、
前記管理サーバが、前記ユーザ情報に含まれる広告用データから、ユーザの興味や関心の高い商品カテゴリを選定し、前記サンドバッグ情報に含まれる計測結果のうちの活動ポイントから、ユーザの保有するポイントに応じた商品カテゴリまたは価格帯を選定し、前記サンドバッグ情報に含まれる設置データから、ユーザが利用しているサンドバッグの設置されている場所周辺の商品位置情報を選定し、選定された前記商品カテゴリ、前記価格帯、前記商品位置情報のうちの一部または全部を組み合わせ、インターネットまたは前記動画生成部が有する教師データから適性の高い商品を自動抽出することで、前記広告を生成する工程と、
前記管理サーバが、ゴーグルおよび前記ユーザ端末に、生成した前記動画または前記広告を提供する工程とを有する、
運動量計測方法。
【請求項４】
請求項３に記載の運動量計測方法において、
前記管理サーバが、ユーザ情報記憶部からユーザ情報を抽出し、抽出した前記ユーザ情報に含まれるユーザＩＤに対応した計測結果に含まれている衝撃力を計測結果記憶部から抽出し、前記衝撃力に対応する効果音を効果音記憶部から抽出することによって効果音を生成する工程と、
前記管理サーバが、イヤホンおよび前記ユーザ端末に、生成した前記効果音を提供する工程とを有する、
運動量計測方法。
【発明の詳細な説明】
【技術分野】
【０００１】
本発明は、サンドバッグおよび管理サーバおよび運動量計測方法に関する。
【背景技術】
【０００２】
従来、格闘技練習用としてスポーツジム等に設置されるサンドバッグが知られているが、ユーザがサンドバッグに与えた衝撃力やユーザの運動量を数値として把握することはできなかった。
【先行技術文献】
【特許文献】
【０００３】
【特許文献１】特開２０１９−０１７４７３号公報
【発明の概要】
【発明が解決しようとする課題】
【０００４】
例えば、特許文献１には、サンドバッグなどの器具を利用した単独練習と対人相手を想定したより実践的なスパーリング練習が可能なトレーニング装置が開示されている。
【０００５】
しかし、特許文献１は、ユーザがサンドバッグに与えた衝撃力やユーザの運動量を計測したり、それらの衝撃力や運動量に応じた計測結果画面や効果音、または動画を提供する方法について意図しているものではない。
【０００６】
本発明の目的は、ユーザがサンドバッグに与えた衝撃力やユーザの運動量を計測し、それらの衝撃力や運動量に応じた計測結果画面や効果音、または動画を提供することが可能な技術を提供することである。
【課題を解決するための手段】
【０００７】
本願において開示される発明のうち、代表的なものの概要を簡単に説明すれば、次の通りである。
【０００８】
本発明の一実施の形態は、ユーザ端末と無線通信接続によりリンク接続されるサンドバッグであって、衝撃を吸収する衝撃吸収部を有する。また、前記衝撃吸収部の内側に空洞部を有する。また、前記ユーザ端末とリンク接続を行う通信部を有する。また、前記衝撃によって発生する計測値および開始時刻または経過時刻を取得するセンサを有する。また、前記ユーザ端末とリンク接続されている状態で前記衝撃を検知し、前記衝撃の一つ前の衝撃検知から所定時間が経過している場合には、取得した前記開始時刻および前記計測値をユーザ端末に送信する。また、前記ユーザ端末とリンク接続されている状態で前記衝撃を検知し、前記衝撃の一つ前の衝撃検知から所定時間が経過していない場合には、取得した前記経過時刻および前記計測値をユーザ端末に送信する。
【発明の効果】
【０００９】
本発明によれば、ユーザがサンドバッグに与えた衝撃力やユーザの運動量を計測し、それらの衝撃力や運動量に応じた計測結果画面や効果音、または動画を提供することが可能な技術を提供できる。
【図面の簡単な説明】
【００１０】
【図１】本発明の一実施の形態である運動量計測システムにおける管理サーバの構成例の概要を示す図である。
【図２】本発明の一実施の形態における管理サーバのユーザ情報記憶部に記憶されているユーザ情報と、サンドバッグ情報記憶部に記憶されているサンドバッグ情報との概要を示す図である。
【図３】本発明の一実施の形態におけるサンドバッグ情報に含まれる計測結果の概要を示す図である。
【図４】本発明の一実施の形態におけるユーザ端末とサンドバッグと管理サーバとイヤホンおよびゴーグルとの関係、またサンドバッグについての概要を示す図である。
【図５】本発明の一実施の形態における全体処理の概要を示す図である。
【図６】本発明の一実施の形態におけるユーザ情報取得処理およびユーザ情報記憶処理の概要を示す図である。
【図７】本発明の一実施の形態におけるサンドバッグ情報取得処理およびサンドバッグ情報記憶処理の概要を示す図である。
【図８】本発明の一実施の形態におけるサンドバッグが計測値を取得する概要を示す図である。
【図９】本発明の一実施の形態における計測結果算出処理の概要を示す図である。
【図１０】本発明の一実施の形態における計測結果算出処理の概要を示す図である。
【図１１】本発明の一実施の形態における計測結果画面の概要を示す図である。
【図１２】本発明の一実施の形態における計測結果画面生成処理および計測結果画面提供処理の概要を示す図である。
【図１３】本発明の一実施の形態における管理サーバが効果音と動画を提供する概要を示す図である。
【図１４】本発明の一実施の形態における効果音記憶部に記憶されている効果音の概要を示す図である。
【図１５】本発明の一実施の形態における効果音生成処理および効果音提供処理の概要を示す図である。
【図１６】本発明の一実施の形態における動画記憶部に記憶されている動画の概要を示す図である。
【図１７】本発明の一実施の形態における広告の概要を示す図である。
【図１８】本発明の一実施の形態における動画生成処理および動画提供処理の概要を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態である運動量計測システムにおける管理サーバ１２０の構成例の概要を示す図である。
【００１２】
図１に示されるように、本発明に係る運動量計測システムは、ユーザ端末１００と、サンドバッグ３００と、イヤホン４００と、ゴーグル４１０と、ユーザ端末１００およびイヤホン４００およびゴーグル４１０とネットワークを介して接続される管理サーバ１２０とを有する。すなわち、管理サーバ１２０は、ユーザ端末１００およびイヤホン４００およびゴーグル４１０とネットワークを介して接続される。
【００１３】
管理サーバ１２０は、ユーザ情報記憶部１３０と、サンドバッグ情報記憶部１３１と、計測結果記憶部１３２と、計測結果画面記憶部１３３と、効果音記憶部１３４と、動画記憶部１３５と、計測結果算出部１４０と、計測結果画面生成部１５０と、計測結果画面提供部１５１と、効果音生成部１６０と、効果音提供部１６１と、動画生成部１７０と、動画提供部１７１とを有する。
【００１４】
ユーザ情報記憶部１３０には、ユーザ情報２００（後述、図２（ａ））が記憶されている。サンドバッグ情報記憶部１３１には、サンドバッグ情報２１０（後述、図２（ｂ））が記憶されている。
【００１５】
計測結果記憶部１３２には、計測結果２２０（後述、図３）が記憶されている。また、計測結果画面記憶部１３３には、計測結果画面１１００（後述、図１１）が記憶されている。
【００１６】
計測結果算出部１４０は、ユーザ情報記憶部１３０に記憶されているユーザ情報２００と、サンドバッグ情報記憶部１３１に記憶されているサンドバッグ情報２１０と、ユーザ端末１００から送信されることによって取得した活動時間２２１（詳細は後述する）と衝撃力８００（詳細は後述する）とに基づいて計測結果２２０を算出および記憶する。計測結果算出処理の詳細については図８〜１０にて後述する。
【００１７】
計測結果画面生成部１５０は、サンドバッグ情報２１０と、計測結果記憶部１３２から抽出した計測結果２２０とに基づいて計測結果画面１１００を生成する。計測結果画面生成処理については図１２にて後述する。
【００１８】
計測結果画面提供部１５１は、ユーザ端末１００に、生成した計測結果画面１１００を提供する。計測結果画面提供処理については図１２にて後述する。
【００１９】
効果音生成部１６０は、ユーザ情報記憶部１３０からユーザ情報２００を抽出し、抽出したユーザ情報２００に含まれるユーザＩＤに対応した計測結果２２０に含まれている衝撃力８００を計測結果記憶部１３２から抽出し、衝撃力８００に対応する効果音１３００を効果音記憶部１３４から抽出することによって効果音１３００を生成する。効果音１３００、効果音生成処理の詳細については図１４、１５にて後述する。
【００２０】
効果音提供部１６１は、イヤホン４００およびユーザ端末１００に、生成した効果音１３００を提供する。効果音提供処理の詳細については図１４、１５にて後述する。
【００２１】
動画生成部１７０は、ユーザ情報記憶部１３０からユーザ情報２００を抽出し、サンドバッグ情報記憶部１３１からサンドバッグ情報２１０を抽出し、抽出したユーザ情報２００に含まれるユーザＩＤに対応した計測結果２２０に含まれている衝撃力８００を計測結果記憶部１３２から抽出し、衝撃力８００に対応する動画１４００を動画記憶部１３５から抽出することによって動画１４００または広告１７００を生成する。動画１４００、広告１７００、動画生成処理の詳細については図１６、１７にて後述する。
【００２２】
動画提供部１７１は、ゴーグル４１０およびユーザ端末１００に、生成した動画１４００または広告１７００を提供する。動画提供処理の詳細については図１６乃至１８にて後述する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２３】
図２（ａ）に示されるように、ユーザ情報２００は、ユーザＩＤと、氏名と、健康データＭと、サンドバッグ情報２１０と、イヤホンＩＤと、ゴーグルＩＤと、広告用データ２１１等のデータ項目により構成される。
【００２４】
ユーザＩＤは、管理サーバ１２０が、ユーザを識別するための符号を示す。氏名は、ユーザの名称を示す。サンドバッグＩＤは、管理サーバ１２０が、サンドバッグ３００を識別するための符号を示す。イヤホンＩＤは、管理サーバ１２０が、イヤホン４００を識別するための符号を示す。ゴーグルＩＤは、管理サーバ１２０が、ゴーグル４１０を識別するための符号を示す。
【００２５】
広告用データ２１１は、動画生成部１７０が広告１７００を生成する際に使用される情報を示す。広告用データ２１１は、例えば、ユーザの職業、趣味嗜好、年収、居住地等の、データを含む。
【００２６】
図２（ｂ）は、本発明の一実施の形態における管理サーバ１２０のユーザ情報記憶部１３０に記憶されているユーザ情報２００に含まれるサンドバッグ情報２１０の構成例の概要を示す図である。
【００２７】
サンドバッグ情報２１０は、サンドバッグＩＤと、ユーザＩＤと、リンク状態と、減衰率ｕと、計測結果２２０と、設置データ２３０等の情報を示す。
【００２８】
リンク状態は、ユーザ端末１００とサンドバッグ３００が無線通信接続によりリンク接続されているか否かについての状態を示す。この際の無線通信接続は、例えばＢｌｕｅｔｏｏｔｈ（登録商標）等の近距離波による接続である。
【００２９】
減衰率ｕは、サンドバッグ３００が有する衝撃吸収部３１０が、衝撃を吸収することによって衝撃力８００が減衰する割合を示す。なお減衰率ｕは、衝撃吸収部３１０ごとに固有の数値である。すなわち、減衰率ｕは、衝撃吸収部３１０の素材や大きさ、厚さ等によって変動する。
【００３０】
計測結果２２０は、計測結果算出部１４０が、ユーザ情報記憶部１３０に記憶されているユーザ情報２００と、サンドバッグ情報記憶部１３１に記憶されているサンドバッグ情報２１０と、ユーザ端末１００から送信されることによって取得した活動時間２２１と衝撃力８００とに基づいて算出する情報を示す。
【００３１】
設置データ２３０は、動画生成部１７０が広告１７００を生成する際に使用される情報を示す。設置データ２３０は、例えば、サンドバッグ３００の位置情報、サンドバッグ３００を設置する店舗情報等の、データを含む。位置情報は、ＧＰＳ等により取得される緯度と経度の情報である。また店舗情報は、サンドバッグ３００を設置する例えばフィットネスジム等の店舗が有する位置情報や、当該店舗の顧客データ、営業時間、店舗の規模等の情報である。
【００３２】
図３は、本発明の一実施の形態におけるサンドバッグ情報２１０に含まれる計測結果２２０の概要を示す図である。
【００３３】
図３に示されるように、計測結果２２０は、ユーザＩＤと、サンドバッグＩＤと、日程と、開始時刻と、活動時間２２１と、衝撃回数と、平均衝撃力２２２等の情報を示す。
【００３４】
日程は、サンドバッグ３００が衝撃を検知した日にちを示す。
【００３５】
開始時刻（Ｔ０とする）は、サンドバッグ３００がユーザ端末１００とリンク接続されている状態で、サンドバッグ３００が衝撃（Ｉ０とする）を検知した際に、衝撃Ｉ０の一つ前の衝撃を検知した時から所定時間が経過している場合に、衝撃Ｉ０を検知した時刻を示す。なお、「所定時間」とは、特に限定されないが、例えば６０秒間とし、以降も同様とする。
【００３６】
活動時間２２１は、サンドバッグ３００がユーザ端末１００とリンク接続されている状態で、サンドバッグ３００が衝撃（Ｉｎとする）を検知して、衝撃Ｉｎの検知から所定時間が経過した場合に、「開始時刻Ｔ０」から「衝撃Ｉｎを検知した時刻」までの時間を示す。
【００３７】
衝撃回数は、活動時間２２１の間にサンドバッグ３００が受けた衝撃の回数を示す。
【００３８】
平均衝撃力２２２は、活動時間２２１の間にサンドバッグ３００が受けた衝撃の衝撃力８００の平均値を示す。
【００３９】
その他、計測結果２２０は、総重量や、終了時刻や、活動ポイント等の情報を有する。なお、「活動ポイント」とは、ユーザが与えた衝撃によって算出された消費カロリー（算出処理は後述する）の数値および、活動時間等によって所定の算定式により自動的に付与されるポイントを示す。この活動ポイントは、いわゆる電子マネーまたは仮想通貨として使用可能なポイントとしても良い。
＜サンドバッグ＞
図４は、本発明の一実施の形態におけるユーザ端末１００とサンドバッグ３００と管理サーバ１２０との関係、またサンドバッグ３００についての概要を示す図である。
【００４０】
図４で示されるように、ユーザ端末１００は、サンドバッグ３００が有する通信部３３０によって送信される近距離波を受信し、また、ユーザ端末１００から送信された近距離波を通信部３３０が受信することによって、サンドバッグ３００と無線接続によるリンク接続（以降、リンク接続と略記する）を行う。なお、近距離波の接続可能範囲は、例えばサンドバッグ３００から半径５〜１５ｍ以内とする。
【００４１】
サンドバッグ３００は、衝撃を吸収する衝撃吸収部３１０を有する。衝撃吸収部３１０は、サンドバッグ３００の外表面から内側に向かい、略円筒状のサンドバッグ３００の形状を形成するように構成される。
【００４２】
衝撃吸収部３１０の素材は、布生地やウレタン、スポンジ等、またその合成素材とできる。衝撃吸収部３１０の大きさは、特に限定されないが、例えば高さ１ｍ、周長１ｍ、厚さ１５〜３０ｃｍとする。
【００４３】
サンドバッグ３００は、衝撃吸収部３１０の内側に空洞部３２０を有する。空洞部３２０の形状は円筒状とするが特に限定されない。
【００４４】
サンドバッグ３００は、ユーザ端末１００とリンク接続を行う通信部３３０を有する。通信部３３０は、空洞部３２０が形成している空洞領域内に包含される。通信部３３０は、ユーザ端末１００とリンク接続を行う。
【００４５】
サンドバッグ３００は、衝撃によって発生する計測値（Ｐとする）および開始時刻または経過時刻（Ｔｎとする）を取得を取得するセンサ３４０を有する。センサ３４０は、空洞部３２０が形成している空洞領域内に包含される。センサ３４０は、通信部３３０と有線または無線により接続される。これにより、センサ３４０が取得した計測値Ｐを通信部３３０に提供できる。
【００４６】
また、サンドバッグ３００は、図３に示されるように、サンドバッグ台３５０によって吊り下げられる。サンドバッグ台３５０の全長は、サンドバッグ３００の全長よりも大きいものとする。また、サンドバッグ台３５０の素材は、例えば、鉄などとできる。
【００４７】
ユーザ端末１００は、管理サーバ１２０とネットワークを介して無線接続される。このようにして、ユーザ端末１００は、ユーザ情報２００、サンドバッグ情報２１０を管理サーバ１２０に送信する。
【００４８】
また、イヤホン４００およびゴーグル４１０は、管理サーバ１２０とネットワークを介して無線接続される。なお、イヤホン４００とゴーグル４１０は、サンドバッグ３００に衝撃を与えているユーザ１１０が装着できる。
【００４９】
これにより、サンドバッグ３００は、ユーザ端末１００とリンク接続されている状態で衝撃を検知し、前記衝撃の一つ前の衝撃検知から所定時間が経過している場合には、取得した開始時刻Ｔ０および計測値Ｐをユーザ端末１００に送信できる。また、サンドバッグ３００は、ユーザ端末１００とリンク接続されている状態で衝撃を検知し、前記衝撃の一つ前の衝撃検知から所定時間が経過していない場合には、取得した経過時刻Ｔｎおよび計測値Ｐをユーザ端末に送信できる。
＜全体処理＞
図５は、本発明の一実施の形態における全体処理の概要を示す図である。
【００５０】
まず、Ｓ５０１にて、管理サーバ１２０はユーザ情報取得処理およびユーザ情報記憶処理（図６で後述する）を行う。
【００５１】
次に、Ｓ５０２にて、管理サーバ１２０はサンドバッグ情報記憶処理およびサンドバッグ情報取得処理（図７で後述する）を行う。
【００５２】
次に、Ｓ５０３にて、管理サーバ１２０は計測結果算出処理（図８〜１０で後述する）を行う。
【００５３】
次に、Ｓ５０４にて、管理サーバ１２０は計測結果画面生成処理および計測結果画面提供処理（図１１、１２で後述する）を行う。
【００５４】
次に、Ｓ５０５にて、管理サーバ１２０は効果音生成処理および効果音提供処理（図１４、１５で後述する）を行う。
【００５５】
次に、Ｓ５０６にて、管理サーバ１２０は動画生成処理および動画提供処理（図１６、１７で後述する）を行う。
＜ユーザ情報記憶処理＞
図６（ａ）は、本発明の一実施の形態におけるユーザ情報記憶処理の概要を示す図である。以下、管理サーバ１２０が、ユーザ情報２００を記憶する方法について説明する。
【００５６】
まず、Ｓ６０１にて、管理サーバ１２０は、ユーザ情報入力画面をユーザ端末１００に提供する。次に、Ｓ６０２にて、ユーザ端末１００は、ユーザ情報入力画面をディスプレイに表示させる。
【００５７】
その後、ユーザが本発明に係るシステムを初めて利用する場合、Ｓ６０３にて、ユーザ端末１００はユーザ情報２００の入力をユーザから受け付ける。なお、ユーザ情報２００は、ユーザＩＤと、氏名等のデータ項目により構成される。
次に、Ｓ６０４にて、ユーザ端末１００は、Ｓ６０３で入力を受け付けたユーザ情報２００を管理サーバ１２０に送信する。
【００５８】
次に、Ｓ６０５にて、管理サーバ１２０は、Ｓ６０４で送信されたユーザ情報２００を受信することにより、ユーザ情報２００を取得する。
次に、Ｓ６０６にて、管理サーバ１２０は、受信したユーザ情報２００にユーザＩＤを付して、Ｓ６０３にて入力を受け付けたユーザ情報２００をユーザ情報記憶部１３０に記憶する。
＜ユーザ情報取得処理＞
図６（ｂ）は、本発明の一実施の形態におけるユーザ情報取得処理の概要を示す図である。以下、管理サーバ１２０が、ユーザ情報２００を取得する方法について説明する。
【００５９】
ユーザが本発明に係るシステムを２回目以降利用する場合、Ｓ６０７にて、ユーザ端末１００はユーザＩＤの入力をユーザから受け付ける。なお、ユーザＩＤは、ユーザ情報２００に含まれる。
次に、Ｓ６０８にて、ユーザ端末１００は、Ｓ６０７で入力を受け付けたユーザＩＤを管理サーバ１２０に送信する。
【００６０】
その後、Ｓ６０９にて、管理サーバ１２０は、Ｓ６０８で送信されたユーザＩＤのキーに対応するユーザ情報２００をユーザ情報記憶部１３０から取得する。
【００６１】
また、管理サーバ１２０は、ユーザＩＤのキーにＰＩＮコードを付随し、ユーザ情報記憶部１３０に、ホワイトリストやブラックリストを生成させるようにしてもよい。これによりクローン端末等により接続された場合のログインを防ぐことができ、管理サーバ１２０は、ユーザ端末１００の「なりすまし」による被害を防止できる。
＜サンドバッグ情報取得処理＞
図７は、本発明の一実施の形態におけるサンドバッグ情報取得処理およびサンドバッグ情報記憶処理の概要を示す図である。
【００６２】
まず、Ｓ７０１にて、サンドバッグ３００は、リンク状態がＯｎであるか否かを判定する。リンク状態がＯｎである場合は、サンドバッグ３００は本工程を終了し、リンク状態がＯｆｆである場合は、サンドバッグ３００は工程Ｓ７０２へ進行する。
【００６３】
Ｓ７０２にて、サンドバッグ３００は、ユーザ端末１００とリンク接続する。具体的には、サンドバッグ３００が有する通信部３３０から送信される近距離波を介して、サンドバッグ３００は、ユーザ端末１００とリンク接続を行う。
【００６４】
次に、Ｓ７０３にて、サンドバッグ３００は、サンドバッグＩＤをユーザ端末１００に送信する。次に、Ｓ７０４にて、サンドバッグ３００は、リンク状態を「Ｏｎ」に更新する。その後、Ｓ７０５にて、サンドバッグ３００は、Ｓ７０５で更新したリンク状態をユーザ端末１００に送信する。
【００６５】
なお、本実施例の全行程のうち任意の過程において、ユーザがユーザ端末１００とサンドバッグ３００とのリンク接続を切る場合、サンドバッグ３００は、リンク状態を「Ｏｆｆ」に更新し、更新したリンク状態をユーザ端末１００に送信する。
【００６６】
次に、Ｓ７０６にて、ユーザ端末１００は、Ｓ７０３で送信されたサンドバッグＩＤと、Ｓ７０５で送信されたリンク状態とをサンドバッグ情報２１０として取得する。
＜サンドバッグ情報記憶処理＞
まず、Ｓ７０７にて、ユーザ端末１００は、Ｓ７０６で取得したサンドバッグ情報２１０を管理サーバ１２０に送信する。
【００６７】
次に、Ｓ７０８にて、管理サーバ１２０は、Ｓ７０７で送信されたサンドバッグ情報２１０を取得する。その後、Ｓ７０９にて、管理サーバ１２０は、Ｓ７０８で取得したサンドバッグ情報２１０を、サンドバッグ情報記憶部１３１に記憶されているサンドバッグ情報２１０に更新して記憶する。
＜計測値＞
図８は、本発明の一実施の形態におけるサンドバッグ３００が計測値Ｐを取得する概要を示す図である。
【００６８】
図８に示されるように、サンドバッグ３００は、まず、ユーザ１１０から殴打等されることにより衝撃力８００（Ｆとする）を受ける。
【００６９】
次に、サンドバッグ３００が有する衝撃吸収部３１０は、衝撃力Ｆの一部を吸収する。衝撃吸収部３１０によって吸収された後の衝撃力８１０は、衝撃力Ｆに衝撃吸収部３１０が有する減衰率ｕを乗算した「Ｆ×ｕ」で示される。
【００７０】
その後、サンドバッグ３００が有するセンサ３４０は、衝撃吸収部３１０によって吸収された後の衝撃力８１０を計測値Ｐとして取得する。すなわち、計測値Ｐ＝Ｆ×ｕで示される。
【００７１】
このようにして、サンドバッグ３００は、ユーザ端末１００とリンク接続されている状態で衝撃を検知するたびに、センサ３４０によって計測値Ｐを取得できる。
【００７２】
また、センサ３４０は時計機能を内蔵、またはセンサ３４０と接続する通信部３３０が電波を受信することで電波時計機能を有する。これにより、センサ３４０は、「計測値Ｐを取得した時刻」を取得する。すなわち、サンドバッグ３００は、ユーザ端末１００とリンク接続されている状態で衝撃を検知するたびに、衝撃を検知した時刻を取得できる。
＜計測結果算出処理＞
図９、図１０は、本発明の一実施の形態における計測結果算出処理の概要を示す図である。
【００７３】
まず、Ｓ９０１にて、サンドバッグ３００は、ユーザ端末１００とリンク接続されている状態で、衝撃（Ｉ０とする）を検知する。
【００７４】
次に、Ｓ９０２にて、サンドバッグ３００は、開始時刻自動取得設定がＯｎであるか否かを判定する。開始時刻自動取得設定がＯｎである場合、サンドバッグ３００はＳ９０３の工程へ進行する。開始時刻自動取得設定がＯｎでない場合、サンドバッグ３００はＳ９０４の工程へ進行する。
【００７５】
「開始時刻自動取得設定」は、ユーザ端末１００からの開始要求の有無に関わらず、サンドバッグ３００が、衝撃Ｉ０の１つ前にサンドバッグ３００が衝撃を検知してから所定時間が経過しているか否かを判定することによって、自動的に開始時刻Ｔ０を取得できるようにする設定を示す。
【００７６】
なお、開始時刻自動取得設定は、例えば、サンドバッグ３００がユーザ端末１００とリンク接続されている状態の時に、所定のタブをユーザに押下させる等によりユーザ端末１００から入力を受け付けることで「Ｏｎ」とできる。
【００７７】
Ｓ９０３にて、サンドバッグ３００は、衝撃Ｉ０の１つ前にサンドバッグ３００が衝撃を検知してから所定時間が経過しているか否かを判定する。衝撃Ｉ０の１つ前にサンドバッグ３００が衝撃を検知してから所定時間が経過している場合、サンドバッグ３００はＳ９０６の工程へ進行する。衝撃Ｉ０の１つ前にサンドバッグ３００が衝撃を検知してから所定時間が経過していない場合、サンドバッグ３００はＳ９１６の工程へ進行する。
【００７８】
他方、Ｓ９０４にて、サンドバッグ３００は、衝撃Ｉ０の１つ前にサンドバッグ３００が衝撃を検知してから衝撃Ｉ０を検知するまでの間に、ユーザ端末１００から「終了要求」を受付けたか否かを判定する。衝撃Ｉ０の１つ前にサンドバッグ３００が衝撃を検知してから衝撃Ｉ０を検知するまでの間に、ユーザ端末１００から「終了要求」を受付けた場合、サンドバッグ３００はＳ９０５の工程へ進行する。衝撃Ｉ０の１つ前にサンドバッグ３００が衝撃を検知してから衝撃Ｉ０を検知するまでの間に、ユーザ端末１００から「終了要求」を受付けていない場合、サンドバッグ３００はＳ９１６の工程へ進行する。
【００７９】
「終了要求」は、ユーザがサンドバッグ３００を一定時間内に連続して衝撃を与える活動の終了を希望する際に、サンドバッグ３００に対し行う要求を示す。
【００８０】
なお、終了要求は、例えば、サンドバッグ３００がユーザ端末１００とリンク接続されている状態の時に、所定のタブをユーザに押下させる等によりユーザ端末１００から入力を受け付けることができる。
【００８１】
次に、Ｓ９０５にて、サンドバッグ３００は、衝撃Ｉ０の１つ前にサンドバッグ３００が衝撃を検知してから衝撃Ｉ０を検知するまでの間に、ユーザ端末１００から「開始要求」を受付けたか否かを判定する。衝撃Ｉ０の１つ前にサンドバッグ３００が衝撃を検知してから衝撃Ｉ０を検知するまでの間に、ユーザ端末１００から「開始要求」を受付けた場合、サンドバッグ３００はＳ９０６の工程へ進行する。衝撃Ｉ０の１つ前にサンドバッグ３００が衝撃を検知してから衝撃Ｉ０を検知するまでの間に、ユーザ端末１００から「開始要求」を受付けていない場合、サンドバッグ３００は本工程を終了する。
【００８２】
「開始要求」は、ユーザがサンドバッグ３００を一定時間内に連続して衝撃を与える活動の開始を希望する際に、サンドバッグ３００に対し行う要求を示す。
【００８３】
なお、開始要求は、例えば、サンドバッグ３００がユーザ端末１００とリンク接続されている状態の時に、所定のタブをユーザに押下させる等によりユーザ端末１００から入力を受け付けることができる。
【００８４】
Ｓ９０６にて、サンドバッグ３００は、サンドバッグ３００が衝撃Ｉ０を検知した際の時刻を開始時刻Ｔ０として取得する。具体的には、サンドバッグ３００のセンサ３４０が有する時計機能により、サンドバッグ３００は、サンドバッグ３００が衝撃Ｉ０を検知した際の開始時刻Ｔ０を取得する。
【００８５】
Ｓ９０７にて、サンドバッグ３００は、サンドバッグ３００が衝撃Ｉ０を検知した際の計測値Ｐを取得する。具体的には、サンドバッグ３００が有するセンサ３４０は、サンドバッグ３００が衝撃Ｉ０を検知した際に、衝撃吸収部３１０によって吸収された後の衝撃力８１０を計測値Ｐとして取得する。
【００８６】
次に、Ｓ９０８にて、サンドバッグ３００は、Ｓ９０６で取得した開始時刻Ｔ０及びＳ９０７で取得した計測値Ｐを、サンドバッグ３００とリンク接続しているユーザ端末１００に送信する。
【００８７】
次に、Ｓ９０９にて、サンドバッグ３００は、Ｓ９０８でサンドバッグ３００から送信された開始時刻Ｔ０及び計測値Ｐを受信し、サンドバッグＩＤを紐付けた開始時刻Ｔ０及び計測値Ｐを管理サーバ１２０に送信する。
【００８８】
次に、Ｓ９１０にて、サンドバッグ３００は、Ｓ９０９でユーザ端末１００から送信された開始時刻Ｔ０及び計測値Ｐを受信し、開始時刻Ｔ０及び計測値Ｐに紐付いているサンドバッグＩＤに対応するサンドバッグ情報２１０をサンドバッグ情報記憶部１３１から抽出する。
【００８９】
次に、Ｓ９１１にて、サンドバッグ３００は、Ｓ９１０でサンドバッグ情報記憶部１３１から抽出したサンドバッグ情報２１０を参照し、サンドバッグ情報２１０に含まれる減衰率ｕを抽出する。
【００９０】
次に、Ｓ９１２にて、サンドバッグ３００は、Ｓ９１０で受信することにより取得した計測値Ｐを、Ｓ９１１で抽出した減衰率ｕで除算することにより、衝撃力Ｆを算出する。なお、この場合の衝撃力Ｆは、ユーザ端末１００とリンク接続されている状態でサンドバッグ３００が検知した衝撃Ｉ０により発生する衝撃力８００の数値を示す。
【００９１】
次に、Ｓ９１３にて、管理サーバ１２０は、Ｓ９１０で受信することにより取得した開始時刻Ｔ０とＳ９１２で算出した衝撃力Ｆとを、サンドバッグ情報２１０に含まれる計測結果２２０に更新したうえで計測結果記憶部１３２に記憶する。
【００９２】
次に、Ｓ９１４にて、管理サーバ１２０は、効果音１３００の生成リクエストを効果音生成部１６０に要求する。
【００９３】
次に、Ｓ９１５にて、管理サーバ１２０は、動画１４００の生成リクエストを動画生成部１７０に要求する。
【００９４】
Ｓ９１６にて、サンドバッグ３００は、サンドバッグ３００が衝撃（Ｉｎとする）を検知した際の時刻を経過時刻Ｔｎとして取得する。具体的には、サンドバッグ３００のセンサ３４０が有する時計機能により、サンドバッグ３００は、サンドバッグ３００が衝撃Ｉｎを検知した際の経過時刻Ｔｎを取得する。
【００９５】
Ｓ９１７にて、サンドバッグ３００は、サンドバッグ３００が衝撃Ｉｎを検知した際の計測値Ｐを取得する。具体的には、サンドバッグ３００が有するセンサ３４０は、サンドバッグ３００が衝撃Ｉｎを検知した際に、衝撃吸収部３１０によって吸収された後の衝撃力８１０を計測値Ｐとして取得する。
【００９６】
次に、Ｓ９１８にて、サンドバッグ３００は、Ｓ９１６で取得した経過時刻Ｔｎ及びＳ９１７で取得した計測値Ｐを、サンドバッグ３００とリンク接続しているユーザ端末１００に送信する。
【００９７】
次に、Ｓ９１９にて、サンドバッグ３００は、Ｓ９１８でサンドバッグ３００から送信された経過時刻Ｔｎ及び計測値Ｐを受信し、サンドバッグＩＤを紐付けた経過時刻Ｔｎ及び計測値Ｐを管理サーバ１２０に送信する。
【００９８】
次に、Ｓ９２０にて、サンドバッグ３００は、Ｓ９１９でユーザ端末１００から送信された経過時刻Ｔｎ及び計測値Ｐを受信し、経過時刻Ｔｎ及び計測値Ｐに紐付いているサンドバッグＩＤに対応するサンドバッグ情報２１０をサンドバッグ情報記憶部１３１から抽出する。
【００９９】
次に、Ｓ９２１にて、サンドバッグ３００は、Ｓ９２０でサンドバッグ情報記憶部１３１から抽出したサンドバッグ情報２１０を参照し、サンドバッグ情報２１０に含まれる減衰率ｕを抽出する。その後、サンドバッグ３００は、Ｓ９２０で受信することにより取得した計測値Ｐを、抽出した減衰率ｕで除算することにより、衝撃力Ｆを算出する。なお、この場合の衝撃力Ｆは、ユーザ端末１００とリンク接続されている状態でサンドバッグ３００が検知した衝撃Ｉｎにより発生する衝撃力８００の数値を示す。
【０１００】
次に、Ｓ９２２にて、管理サーバ１２０は、Ｓ９２０で受信することにより取得した経過時刻ＴｎとＳ９２１で算出した衝撃力Ｆとを、サンドバッグ情報２１０に含まれる計測結果２２０に更新したうえで計測結果記憶部１３２に記憶する。
【０１０１】
次に、Ｓ９２３にて、管理サーバ１２０は、効果音１３００の生成リクエストを効果音生成部１６０に要求する。また、管理サーバ１２０は、動画１４００の生成リクエストを動画生成部１７０に要求する。
【０１０２】
次に、Ｓ９２４にて、管理サーバ１２０は、ユーザ情報２００をユーザ情報記憶部１３０から抽出し、対応するユーザＩＤに紐付いている健康データＭを抽出する。
【０１０３】
次に、Ｓ９２５にて、管理サーバ１２０は、最初の衝撃検知から最後の衝撃検知までの活動時間２２１（Ｔとする）と、算出した平均衝撃力２２２（Ａとする）と、抽出した健康データＭとに基づいて、消費カロリーＣを算出する。なお、活動時間Ｔは、開始時刻Ｔ０から最後の衝撃Ｉｎに係る経過時刻Ｔｎまでの時間を示す。
【０１０４】
また、計測結果２２０は、活動ポイントの情報を有する。すなわち、管理サーバ１２０は、算出された消費カロリーＣの値や、活動時間Ｔ等に基づいて、所定の算定式により活動ポイントを自動的に算出する。なお、先述した通り、この活動ポイントは、いわゆる電子マネー等として使用できる。
【０１０５】
次に、開始時刻自動取得設定がＯｎである場合、管理サーバ１２０はＳ９２６の工程へ進行する。開始時刻自動取得設定がＯｎでない場合、管理サーバ１２０はＳ９２７の工程へ進行する。
【０１０６】
Ｓ９２６にて、管理サーバ１２０は、サンドバッグ３００が最後の衝撃Ｉｎを検知してから所定時間が経過しているか否かを判定する。サンドバッグ３００が最後の衝撃Ｉｎを検知してから所定時間が経過している場合、管理サーバ１２０はＳ９２８の工程へ進行する。サンドバッグ３００が最後の衝撃Ｉｎを検知してから所定時間が経過していない場合、管理サーバ１２０は、次の衝撃を検知した時にＳ９１６の工程へ進行する。
【０１０７】
他方、Ｓ９２７にて、管理サーバ１２０は、最後の衝撃Ｉｎを検知した後、ユーザ端末１００から「終了要求」を受付けたか否かを判定する。最後の衝撃Ｉｎを検知した後、ユーザ端末１００から「終了要求」を受付けた場合、管理サーバ１２０は、Ｓ９２８の工程へ進行する。最後の衝撃Ｉｎを検知した後、ユーザ端末１００から「終了要求」を受付けていない場合、管理サーバ１２０は、次の衝撃を検知した時にＳ９１６の工程へ進行する。
【０１０８】
次に、Ｓ９２８にて、管理サーバ１２０は、衝撃により取得した衝撃回数の合計と、活動時間Ｔと、平均衝撃力Ａと、算出した消費カロリーＣ等を、サンドバッグ情報２１０に含まれる計測結果２２０に更新したうえで計測結果記憶部１３２に記憶する。
【０１０９】
次に、Ｓ９２９にて、管理サーバ１２０は、計測結果画面１１００の生成リクエストを計測結果画面生成部１５０に要求する。
【０１１０】
以上、サンドバッグ３００が衝撃を検知するたびにＳ９０１からＳ９２９の工程を繰り返すことにより、管理サーバ１２０は、複数の衝撃を含む活動毎に計測結果２２０を算出できる。
【０１１１】
このようにして、開始時刻自動取得設定をＯｎにした場合には、ユーザ端末１００からの開始・終了要求を必要とせず、サンドバッグ３００が自動的に活動の開始・終了を判定でき、管理サーバ１２０はユーザに操作を省略させて運動量の計測を行うことができる。
【０１１２】
また、開始時刻自動取得設定をＯｎにしない場合には、管理サーバ１２０は、開始時刻および終了時刻の取得を所定時間の経過で行わずに、ユーザがユーザ端末１００のタブ押下等で明示したタイミングで運動量の計測を行うことができる。
＜計測結果画面＞
図１１は、本発明の一実施の形態における計測結果画面１１００の概要を示す図である。
【０１１３】
図１１に示されるように、計測結果画面１１００は、計測結果表示領域１１１０と、直近衝撃表示領域１１２０と、消費カロリー表示領域１１３０と、活動ポイント表示領域１１４０を含む。計測結果画面１１００は、ユーザ端末１００に表示される。
【０１１４】
計測結果表示領域１１１０は、サンドバッグ３００がユーザ端末１００とリンク接続されている状態で検知した衝撃について、管理サーバ１２０によって算出および記憶された計測結果２２０に含まれる各データの内容を表示させる。なお、計測結果表示領域１１１０の表示のさせ方は特に限定されない。
【０１１５】
直近衝撃表示領域１１２０は、サンドバッグ３００がユーザ端末１００とリンク接続されている状態で検知した直近の衝撃について、管理サーバ１２０によって算出および記憶された計測結果２２０に含まれる衝撃力８００の内容を表示させる。なお、直近衝撃表示領域１１２０の表示のさせ方は特に限定されない。
【０１１６】
消費カロリー表示領域１１３０は、サンドバッグ３００がユーザ端末１００とリンク接続されている状態で検知した衝撃によって生じた消費カロリーＣについて、管理サーバ１２０によって算出および記憶された計測結果２２０に含まれる消費カロリーＣの内容を表示させる。なお、消費カロリー表示領域１１３０の表示のさせ方は特に限定されない。
【０１１７】
活動ポイント表示領域１１４０は、サンドバッグ３００がユーザ端末１００とリンク接続されている状態で検知した衝撃によって生じた消費カロリーＣ等に基づいて、管理サーバ１２０によって算出および記憶された計測結果２２０に含まれる活動ポイントの内容を表示させる。なお、活動ポイント表示領域１１４０の表示のさせ方は特に限定されない。
＜計測結果画面生成処理＞
図１２（ａ）は、本発明の一実施の形態における計測結果画面生成処理の概要を示す図である。
【０１１８】
図１２（ａ）で示されるように、まず、Ｓ１２０１にて、管理サーバ１２０の計測結果画面生成部１５０は、Ｓ９２９で要求された計測結果画面１１００の生成リクエストを受け付ける。
【０１１９】
次に、Ｓ１２０２にて、計測結果画面生成部１５０は、計測結果画面１１００を提供したいユーザＩＤに対応するサンドバッグ情報２１０をサンドバッグ情報記憶部１３１から抽出する。
【０１２０】
次に、Ｓ１２０３にて、計測結果画面生成部１５０は、Ｓ１２０２で抽出したサンドバッグ情報２１０に含まれるサンドバッグＩＤに対応した計測結果２２０を計測結果記憶部１３２から抽出する。
【０１２１】
次に、Ｓ１２０４にて、計測結果画面生成部１５０は、Ｓ１２０３で抽出した計測結果に基づいて、計測結果画面１１００を生成し、計測結果画面記憶部１３３に記憶する。
＜計測結果画面提供処理＞
図１２（ｂ）は、本発明の一実施の形態における計測結果画面提供処理の概要を示す図である。
【０１２２】
図１２（ｂ）で示されるように、Ｓ１２０５にて、計測結果画面提供部１５１は、計測結果画面１１００を提供したいユーザＩＤに対応する計測結果画面１１００を計測結果画面記憶部１３３から抽出する。
【０１２３】
次に、Ｓ１２０６にて、計測結果画面提供部１５１は、Ｓ１２０５で抽出した計測結果画面１１００をユーザ端末１００に提供する。
【０１２４】
次に、Ｓ１２０７にて、ユーザ端末１００は、Ｓ１２０６で管理サーバ１２０から送信された計測結果画面１１００を受信する。その後、受信した計測結果画面１１００をディスプレイに表示させる。
【０１２５】
このようにして、管理サーバ１２０は、ユーザがサンドバッグ３００を殴打することで消費する消費カロリー等の運動量を、計測結果画面１１００を介してユーザ端末１００に提供できる。従って、ユーザは上記運動量を把握できるため、ストレス発散と同時に健康管理のモチベーションを維持できる。
＜効果音＞
図１３は、本発明の一実施の形態における管理サーバ１２０が効果音１３００と動画１４００を提供する概要を示す図である。
【０１２６】
図１３で示される通り、また、既述の処理の通り、サンドバッグ３００は、ユーザ１１０から衝撃力８００を受けた際にサンドバッグ３００とリンク接続を行っているユーザ端末１００を介して管理サーバ１２０に各データ（経過時刻Ｔｎ、計測値Ｐ等）を送信する。
【０１２７】
その後、管理サーバ１２０は、効果音１３００と動画１４００を生成する。そして、管理サーバ１２０は、生成した効果音１３００をイヤホン４００に提供する。また、管理サーバ１２０は、生成した動画１４００をゴーグル４１０に提供する。
【０１２８】
なお、イヤホン４００およびゴーグル４１０は、管理サーバ１２０とネットワークを介して無線接続されている。また、イヤホン４００とゴーグル４１０は、サンドバッグ３００に衝撃を与えているユーザ１１０が装着できる。
【０１２９】
図１４は、本発明の一実施の形態における効果音記憶部１３４に記憶されている効果音１３００の概要を示す図である。
【０１３０】
図１４で示されるように、効果音１３００は、衝撃力８００の数値に応じて変動する音色パターンを有する。例えば、衝撃力８００の数値が５．０ｋｇの時は、効果音１３００は音色パターン００２を採用する。なお、効果音１３００は、衝撃力８００の数値に応じて音量を変動させたり、音の再生時間を変動させても良い。
【０１３１】
このようにして、管理サーバ１２０は、衝撃力の大きさに応じて異なる効果音１３００をイヤホン４００に提供できる。
＜効果音生成処理＞
図１５（ａ）は、本発明の一実施の形態における効果音生成処理の概要を示す図である。
【０１３２】
図１５（ａ）で示されるように、まず、Ｓ１５０１にて、管理サーバ１２０の効果音生成部１６０は、Ｓ９１４等で要求された効果音１３００の生成リクエストを受け付ける。
【０１３３】
次に、Ｓ１５０２にて、効果音生成部１６０は、効果音１３００を提供したいユーザＩＤに対応するユーザ情報２００をユーザ情報記憶部１３０から抽出する。
【０１３４】
次に、Ｓ１５０３にて、効果音生成部１６０は、ユーザＩＤに対応した計測結果２２０に含まれている衝撃力Ｆを計測結果記憶部１３２から抽出する。
【０１３５】
次に、Ｓ１５０４にて、効果音生成部１６０は、Ｓ１５０３で抽出した衝撃力Ｆに対応する効果音１３００を効果音記憶部１３４から抽出することにより効果音１３００を生成する。
＜効果音提供処理＞
図１５（ｂ）は、本発明の一実施の形態における効果音提供処理の概要を示す図である。
【０１３６】
図１５（ｂ）で示されるように、Ｓ１５０５にて、効果音提供部１６１は、抽出したユーザ情報２００に含まれるイヤホンＩＤをユーザ情報記憶部１３０から抽出する。
【０１３７】
次に、Ｓ１５０６にて、効果音提供部１６１は、Ｓ１５０５で抽出した効果音１３００を、抽出したイヤホンＩＤに対応するイヤホン４００に提供する。
【０１３８】
次に、Ｓ１５０７にて、イヤホン４００は、Ｓ１５０６で管理サーバ１２０から提供された効果音１３００をイヤホン４００が有するスピーカー等に再生させる。
【０１３９】
また、Ｓ１５０８にて、効果音提供部１６１は、Ｓ１５０４で生成した効果音１３００をユーザ端末１００に提供する。
【０１４０】
次に、Ｓ１５０９にて、ユーザ端末１００は、Ｓ１５０８で管理サーバ１２０から提供された効果音１３００をユーザ端末１００が有するスピーカー等に再生させる。
【０１４１】
このようにして、管理サーバ１２０は、ユーザがサンドバッグ３００を殴打することで発生させる衝撃力の大きさを示す効果音１３００をイヤホン４００またはユーザ端末１００に提供できる。従って、イヤホン４００を装着するユーザは上記衝撃力を把握でき、ストレス発散と同時に健康管理のモチベーションを維持できる。
＜動画＞
図１６は、本発明の一実施の形態における動画記憶部１３５に記憶されている動画１４００の概要を示す図である。
【０１４２】
図１６（ａ）で示されるように、動画１４００は、衝撃力８００の数値に応じて変動する動画パターンを有する。例えば、衝撃力８００の数値が５．０ｋｇの時は、動画１４００は動画パターン００２を採用する。動画パターンは、例えばボクシングの対戦相手が透過イメージとして表示される動画等である。なお、動画１４００は、衝撃力８００の数値に応じて音量を変動させたり、動画の再生時間を変動させても良い。
【０１４３】
また、動画生成部１７０は、ＡＩ（人工知能）による自動学習機能を有するようにしても良い。この場合、動画１４００は、ユーザの活動経歴に紐付いて記憶される成長度に応じて衝撃力や衝撃回数に対応する動画パターンを変動させて採用する。例えば、ユーザが上級者である場合と、初級者である場合とで、同じ衝撃力に対応した動画１４００を異なるものとすることができ、ユーザの動画に対する「飽き」を防止できる。
【０１４４】
また、動画１４００は、広告１７００を動画パターンに含めることができる。広告１７００の生成方法は後述する。
【０１４５】
このようにして、管理サーバ１２０は、衝撃力の大きさに応じて異なる動画１４００または広告１７００をゴーグル４１０およびユーザ端末１００に提供できる。
【０１４６】
なお、図１６（ｂ）で示されるように、動画１４００は、ゴーグル４１０が有するディスプレイ４１１に表示される。また、図１６（ｃ）で示されるように、動画１４００は、ユーザ端末１００が有するディスプレイ１０１に表示される。
＜広告＞
図１７は、本発明の一実施の形態における広告１７００の概要を示す図である。
【０１４７】
図１７（ａ）で示されるように、広告１７００は、ユーザ情報２００に含まれる広告用データ２１１と、サンドバッグ情報２１０に含まれる計測結果２２０および設置データ２３０とに基づいて、動画生成部１７０によって生成される。また、動画生成部１７０は、生成した広告１７００を動画記憶部１３５に記憶する。
【０１４８】
具体的には、広告用データ２１１に含まれるユーザの「職業」や、「趣味嗜好」や、「年収」といった情報から、動画生成部１７０は、ユーザの興味や関心の高い商品カテゴリを選定する。また、計測結果２２０のうちの「活動ポイント」から、動画生成部１７０は、ユーザの保有するポイントに応じた商品カテゴリまたは価格帯を選定する。
【０１４９】
また、設置データ２３０に含まれるサンドバッグ３００の「位置情報」や、「店舗情報」といった情報から、動画生成部１７０は、ユーザが利用しているサンドバッグ３００の設置されている場所周辺の商品位置情報を選定する。
【０１５０】
その後、動画生成部１７０は、選定された商品カテゴリ、価格帯、商品位置情報等のうちの一部または全部を組み合わせ、インターネットまたは動画生成部１７０が有する教師データから適性の高い商品をＡＩにより自動抽出することで、広告１７００を生成する。
【０１５１】
例えば、ユーザの職業がアパレル販売員、趣味嗜好がワイン、保有ポイントが５０００ポイント、サンドバッグ３００の設置場所が下北沢の場合、広告１７００は、「ＣＢＡ社のジャケット７８０００円」や、「ＢＡＲ下北沢の限定ワイン４９００円」という広告パターンを生成する。
【０１５２】
このようにすることで、動画生成部１７０は、サンドバッグ３００を利用するユーザの関心、年収、生活圏、活動ポイント等に応じて、ユーザごとに最適な広告１７００を生成できる。
【０１５３】
図１７（ｂ）で示されるように、広告１７００は、ゴーグル４１０が有するディスプレイ４１１に表示される。また、図１７（ｃ）で示されるように、広告１７００は、ユーザ端末１００が有するディスプレイ１０１に表示される。
＜動画生成処理＞
図１８（ａ）は、本発明の一実施の形態における動画生成処理の概要を示す図である。
【０１５４】
図１８（ａ）で示されるように、まず、Ｓ１８０１にて、管理サーバ１２０の動画生成部１７０は、Ｓ９１５等で要求された動画１４００の生成リクエストを受け付ける。
【０１５５】
次に、Ｓ１８０２にて、動画生成部１７０は、動画１４００を提供したいユーザＩＤに対応するユーザ情報２００をユーザ情報記憶部１３０から抽出し、ユーザＩＤに対応するサンドバッグ情報２１０をサンドバッグ情報記憶部１３１から抽出する。
【０１５６】
次に、Ｓ１８０３にて、動画生成部１７０は、ユーザＩＤに対応した計測結果２２０に含まれている衝撃力Ｆを計測結果記憶部１３２から抽出する。
【０１５７】
次に、Ｓ１８０４にて、動画生成部１７０は、Ｓ１８０３で抽出した衝撃力Ｆに対応する動画１４００を動画記憶部１３４から抽出することにより動画１４００を生成する。
【０１５８】
次に、Ｓ１８０５にて、動画生成部１７０は、Ｓ１８０２で抽出したユーザ情報２００とサンドバッグ情報２１０とに基づいて広告１７００を生成する。
＜動画提供処理＞
図１８（ｂ）は、本発明の一実施の形態における動画提供処理の概要を示す図である。
【０１５９】
図１８（ｂ）で示されるように、Ｓ１８０６にて、動画提供部１７１は、抽出したユーザ情報２００に含まれるゴーグルＩＤをユーザ情報記憶部１３０から抽出する。
【０１６０】
次に、Ｓ１８０７にて、動画提供部１７１は、Ｓ１８０６で抽出した動画１４００または広告１７００を、抽出したゴーグルＩＤに対応するゴーグル４１０に提供する。
【０１６１】
次に、Ｓ１８０８にて、ゴーグル４１０は、Ｓ１８０７で管理サーバ１２０から提供された動画１４００をゴーグル４１０が有するディスプレイ４１１に表示させる。
【０１６２】
Ｓ１８０９にて、動画提供部１７１は、Ｓ１８０４で生成した動画１４００またはＳ１８０５で生成した広告１７００を動画記憶部１３５から抽出する。
【０１６３】
次に、Ｓ１８１０にて、動画提供部１７１は、Ｓ１８０９で抽出した動画１４００または広告１７００をユーザ端末１００に提供する。
【０１６４】
次に、Ｓ１８１１にて、ユーザ端末１００は、Ｓ１８１０で管理サーバ１２０から提供された動画１４００または広告１７００をユーザ端末１００が有するディスプレイ１０１に表示させる。
【０１６５】
なお、動画提供部１７１は、動画１４００のうち広告１７００だけを異なるタイミングでゴーグル４１０およびユーザ端末１００に提供できる。例えば、動画提供部１７１は、最後の衝撃を検知してから所定時間経過後に、広告１７００だけを提供できる。この場合、管理サーバ１２０は、ユーザがサンドバッグ３００への殴打を休止しているタイミングで広告１７００を表示させることができ、ユーザの気分転換や購買意欲を促進させることができる。
【０１６６】
このようにして、管理サーバ１２０は、ユーザがサンドバッグ３００を殴打することで発生させる衝撃力の大きさを表示する動画１４００をゴーグル４１０およびユーザ端末１００に提供できる。従って、ゴーグル４１０を装着するユーザは上記衝撃力を把握できるため、ストレス発散と同時に健康管理のモチベーションを維持できる。
【０１６７】
また、ユーザは、サンドバッグ３００の殴打の結果、管理サーバ１２０によって付与される活動ポイントを貯めることや、管理サーバ１２０によって提供される広告１７００を見ることができ、サンドバッグ３００による運動意欲をさらに向上できる。
＜本実施の形態の効果＞
【０１６８】
以上説明した本発明の実施の形態によれば、ユーザがサンドバッグ３００に与えた衝撃力やユーザの運動量を計測し、それらの衝撃力や運動量に応じた計測結果画面１１００や効果音１３００、または動画１４００を提供することが可能となる。
【０１６９】
すなわち、ユーザがサンドバッグ３００を殴打することで消費する消費カロリー等の運動量を、管理サーバ１２０が生成し提供する計測結果画面１１００や効果音１３００、動画１４００を介して把握でき、ユーザは、ストレス発散と同時に健康管理のモチベーションを維持できる。
【０１７０】
また、ユーザは、サンドバッグ３００の殴打の結果、管理サーバ１２０によって付与される活動ポイントを貯めることや、管理サーバ１２０によって提供される広告１７００を見ることができ、サンドバッグ３００による運動意欲をさらに向上できる。
【０１７１】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１７２】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１７３】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１７４】
１００…ユーザ端末
１２０…管理サーバ
１３０…ユーザ情報記憶部
１３１…サンドバッグ情報記憶部
１３２…計測結果記憶部
１３３…計測結果画面記憶部
１３４…効果音記憶部
１３５…動画記憶部
１４０…計測結果算出部
１５０…計測結果画面生成部
１５１…計測結果画面提供部
１６０…効果音生成部
１６１…効果音提供部
１７０…動画生成部
１７１…動画提供部
３００…サンドバッグ
３１０…衝撃吸収部
３２０…空洞部
３３０…通信部
３４０…センサ
４００…イヤホン
４１０…ゴーグル
１１００…計測結果画面
１３００…効果音
１４００…動画
１７００…広告
【要約】
【課題】ユーザがサンドバッグに与えた衝撃力やユーザの運動量を計測し、それらの衝撃力や運動量に応じた計測結果画面や効果音、または動画を提供することが可能な技術を提供する。
【解決手段】
ユーザ端末１００と無線通信接続によりリンク接続されるサンドバッグ３００であって、衝撃を吸収する衝撃吸収部３１０を有し、衝撃吸収部３１０の内側に空洞部３２０を有し、ユーザ端末１００とリンク接続を行う通信部３３０を有し、衝撃によって発生する計測値および開始時刻または経過時刻を取得するセンサ３４０を有し、ユーザ端末１００とリンク接続されている状態で衝撃を検知し、衝撃の一つ前の衝撃検知から所定時間が経過している場合には、取得した開始時刻および計測値をユーザ端末１００に送信し、ユーザ端末１００とリンク接続されている状態で衝撃を検知し、衝撃の一つ前の衝撃検知から所定時間が経過していない場合には、取得した経過時刻および計測値をユーザ端末１００に送信する。
【選択図】図１【図１】
0006688525.tif 000002
【図２】
0006688525.tif 000003
【図３】
0006688525.tif 000004
【図４】
0006688525.tif 000005
【図５】
0006688525.tif 000006
【図６】
0006688525.tif 000007
【図７】
0006688525.tif 000008
【図８】
0006688525.tif 000009
【図９】
0006688525.tif 000010
【図１０】
0006688525.tif 000011
【図１１】
0006688525.tif 000012
【図１２】
0006688525.tif 000013
【図１３】
0006688525.tif 000014
【図１４】
0006688525.tif 000015
【図１５】
0006688525.tif 000016
【図１６】
0006688525.tif 000017
【図１７】
0006688525.tif 000018
【図１８】
0006688525.tif 000019